【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
ディスプレイと、
カメラ、外部ストレージ、携帯電子機器の１つ以上からの画像群と前記画像群の各画像の特徴量を示すインデックスデータとを保存する写真フォルダと、
フォトビューアアプリケーションの実行により、前記写真フォルダへ新たな画像の保存、前記新たな画像の前記インデックスデータの生成と保存、及び前記写真フォルダ内の前記画像群から検索キーとして指定される顔画像に類似する顔画像をそれぞれ含む画像群の検索並びに表示を実行するプロセッサと、
を具備し、
前記プロセッサは、
前記検索キーとして指定される第１顔画像の顔特徴量と前記インディクスデータの前記特徴量とを比較して、前記第１顔画像に類似する画像群を前記写真フォルダから抽出し、
抽出された前記画像群のトータル撮影期間を複数の期間に分割した小期間毎に対応して、前記抽出された画像群から代表画像を選出し、
前記小期間毎に対応して選出された代表画像を時系列順に前記ディスプレイに表示する
電子機器。
【請求項２】
前記小期間毎に対応して選出された代表画像には前記第１顔画像を含み、
前記第１顔画像は、他の代表画像と異なる表示形態で前記ディスプレイに表示される請求項１記載の電子機器。
【請求項３】
前記プロセッサは、
前記画像群から新たに第２顔画像が検索キーとして指定された場合で、前記第１顔画像の特徴量と前記第２顔画像の特徴量との差が閾値以上であるならば、前記第１顔画像と前記第２顔画像の双方を前記検索キーとして使用することによって、前記第１顔画像に類似する第１画像群と前記第２顔画像に類似する第２画像群を前記写真フォルダから抽出し、
前記第１顔画像の特徴量と前記第２顔画像の特徴量との差が前記閾値以上でないならば、前記第１顔画像と前記第２顔画像の双方に類似する第３画像群を前記写真フォルダから抽出する
請求項１記載の電子機器。
【請求項４】
前記プロセッサは、
過去に前記検索キーとして使用された顔画像を前記写真フォルダに保存して再利用を可能とし、
前記写真フォルダから前記過去に検索キーとして使用された顔画像の一覧を前記ディスプレイに表示し、
前記一覧から顔画像の１つが選択された場合、選択された第３顔画像の顔特徴量と前記インディクスデータの前記特徴量とを比較して、前記第３顔画像に類似する画像群を前記写真フォルダから抽出する
請求項１記載の電子機器。
【請求項５】
前記プロセッサは、前記画像群から、第１場所で撮影された画像と、第２場所で撮影された画像とを選出するための処理を実行するようにさらに構成され、
前記第１場所で撮影された前記画像および前記第２場所で撮影された前記画像は、前記第１顔画像に類似する顔画像をそれぞれ含み、
前記第１場所で撮影された前記画像は前記第１場所に関連付けて前記ディスプレイに表示され、前記第２場所で撮影された前記画像は前記第２場所に関連付けて前記ディスプレイに表示される
請求項１記載の電子機器。
【請求項６】
ディスプレイと、
カメラ、外部ストレージ、携帯電子機器の１つ以上からの画像群と前記画像群の各画像の特徴量を示すインデックスデータとを保存する写真フォルダと、
フォトビューアアプリケーションの実行により、前記写真フォルダへ新たな画像の保存、前記新たな画像の前記インデックスデータの生成と保存、及び前記写真フォルダ内の前記画像群から検索キーとして指定される顔画像に類似する顔画像をそれぞれ含む画像群の検索並びに表示を実行するプロセッサと、
を具備する電子機器の方法であって、
前記検索キーとして指定される第１顔画像の顔特徴量と前記インディクスデータの前記特徴量とを比較して、前記第１顔画像に類似する画像群を前記写真フォルダから抽出することと、
抽出された前記画像群のトータル撮影期間を複数の期間に分割した小期間毎に対応して、前記抽出された画像群から代表画像を選出することと、
前記小期間毎に対応して選出された代表画像を時系列順に前記ディスプレイに表示することと
を具備する方法。
【請求項７】
前記小期間毎に対応して選出された代表画像には前記第１顔画像を含み、
前記第１顔画像は、他の代表画像と異なる表示形態で前記ディスプレイに表示される請求項６記載の方法。
【請求項８】
前記画像群から新たに第２顔画像が検索キーとして指定された場合で、前記第１顔画像の特徴量と前記第２顔画像の特徴量との差が閾値以上であるならば、前記第１顔画像と前記第２顔画像の双方を前記検索キーとして使用することによって、前記第１顔画像に類似する第１画像群と前記第２顔画像に類似する第２画像群を前記写真フォルダから抽出し、
前記第１顔画像の特徴量と前記第２顔画像の特徴量との差が前記閾値以上でないならば、前記第１顔画像と前記第２顔画像の双方に類似する第３画像群を前記写真フォルダから抽出する
請求項６記載の方法。
【請求項９】
過去に前記検索キーとして使用された顔画像を前記写真フォルダに保存して再利用を可能とし、
前記写真フォルダから前記過去に検索キーとして使用された顔画像の一覧を前記ディスプレイに表示し、
前記一覧から顔画像の１つが選択された場合、選択された第３顔画像の顔特徴量と前記インディクスデータの前記特徴量とを比較して、前記第３顔画像に類似する画像群を前記写真フォルダから抽出する
請求項６記載の方法。
【請求項１０】
前記画像群から、第１場所で撮影された画像と、第２場所で撮影された画像とを選出するための処理を実行することをさらに具備し、
前記第１場所で撮影された前記画像および前記第２場所で撮影された前記画像は、前記第１顔画像に類似する顔画像をそれぞれ含み、
前記第１場所で撮影された前記画像は前記第１場所に関連付けて前記ディスプレイに表示され、前記第２場所で撮影された前記画像は前記第２場所に関連付けて前記ディスプレイに表示される
請求項６記載の方法。
【請求項１１】
ディスプレイと、
カメラ、外部ストレージ、携帯電子機器の１つ以上からの画像群と前記画像群の各画像の特徴量を示すインデックスデータとを保存する写真フォルダと、
フォトビューアアプリケーションの実行により、前記写真フォルダへ新たな画像の保存、前記新たな画像の前記インデックスデータの生成と保存、及び前記写真フォルダ内の前記画像群から検索キーとして指定される顔画像に類似する顔画像をそれぞれ含む画像群の検索並びに表示を実行するプロセッサと、
を具備するコンピュータにより実行されるプログラムであって、前記プログラムは、
前記検索キーとして指定される第１顔画像の顔特徴量と前記インディクスデータの前記特徴量とを比較して、前記第１顔画像に類似する画像群を前記写真フォルダから抽出することと、
抽出された前記画像群のトータル撮影期間を複数の期間に分割した小期間毎に対応して、前記抽出された画像群から代表画像を選出することと、
前記小期間毎に対応して選出された代表画像を時系列順に前記ディスプレイに表示することとの機能を前記コンピュータに実行させるプログラム。
【請求項１２】
前記小期間毎に対応して選出された選出された代表画像には前記第１顔画像を含み、
前記第１顔画像は、他の代表画像と異なる表示形態で前記ディスプレイに表示される
請求項１１記載のプログラム。
【請求項１３】
前記画像群から新たに第２顔画像が検索キーとして指定された場合で、前記第１顔画像の特徴量と前記第２顔画像の特徴量との差が閾値以上であるならば、前記第１顔画像と前記第２顔画像の双方を前記検索キーとして使用することによって、前記第１顔画像に類似する第１画像群と前記第２顔画像に類似する第２画像群を前記写真フォルダから抽出し、
前記第１顔画像の特徴量と前記第２顔画像の特徴量との差が前記閾値以上でないならば、前記第１顔画像と前記第２顔画像の双方に類似する第３画像群を前記写真フォルダから抽出する
機能を前記コンピュータにさらに実行させる
請求項１１記載のプログラム。
【請求項１４】
過去に前記検索キーとして使用された顔画像を前記写真フォルダに保存して再利用を可能とし、
前記写真フォルダから前記過去に検索キーとして使用された顔画像の一覧を前記ディスプレイに表示し、
前記一覧から顔画像の１つが選択された場合、選択された第３顔画像の顔特徴量と前記インディクスデータの前記特徴量とを比較して、前記第３顔画像に類似する画像群を前記写真フォルダから抽出する
機能を前記コンピュータにさらに実行させる
請求項１１記載のプログラム。
【請求項１５】
前記画像群から、第１場所で撮影された画像と、第２場所で撮影された画像とを選出するための処理を実行する機能を前記コンピュータにさらに実行させ、
前記第１場所で撮影された前記画像および前記第２場所で撮影された前記画像は、前記第１顔画像に類似する顔画像をそれぞれ含み、
前記第１場所で撮影された前記画像は前記第１場所に関連付けて前記ディスプレイに表示され、前記第２場所で撮影された前記画像は前記第２場所に関連付けて前記ディスプレイに表示される
請求項１１記載のプログラム。
【手続補正２】
【補正対象書類名】明細書
【補正対象項目名】０００７
【補正方法】変更
【補正の内容】
【０００７】
実施形態によれば、電子機器は、ディスプレイと、カメラ、外部ストレージ、携帯電子機器の１つ以上からの画像群と前記画像群の各画像の特徴量を示すインデックスデータとを保存する写真フォルダと、フォトビューアアプリケーションの実行により、前記写真フォルダへ新たな画像の保存、前記新たな画像の前記インデックスデータの生成と保存、及び前記写真フォルダ内の前記画像群から検索キーとして指定される顔画像に類似する顔画像をそれぞれ含む画像群の検索並びに表示を実行するプロセッサと、を具備する。前記プロセッサは、前記検索キーとして指定される第１顔画像の顔特徴量と前記インディクスデータの前記特徴量とを比較して、前記第１顔画像に類似する画像群を前記写真フォルダから抽出し、抽出された前記画像群のトータル撮影期間を複数の期間に分割した小期間毎に対応して、前記抽出された画像群から代表画像を選出し、前記小期間毎に対応して選出された代表画像を時系列順に前記ディスプレイに表示する。
【手続補正３】
【補正対象書類名】図面
【補正対象項目名】図６
【補正方法】変更
【補正の内容】
【図６】
2016139387.tif 000001